(57)【要約】【課題】  小さな力で容易に開栓、あるいは閉栓でき、しかも開閉操作時に手が痛くならない蓋体を提供すること。【解決手段】容器本体の口部に螺合される蓋体の外周面に、蓋体の外方に延出した羽板を蓋体の高さ方向に設けることとした。  羽板は、蓋体を回転させる方向に指、または手がかかるように設け、更に、羽板の例えば角を丸くしたり、または手に当たる面積を広くして、手で握ったときに手に食い込むことがないように形成した。  これにより、小さな力で容易に開栓でき、しかも開栓したときに手が痛くなることがない蓋体を提供することができる。【選択図】図１
2006273409.tif 000002
【特許請求の範囲】
【請求項１】
容器本体の口部外周面に形成されたねじ部に螺合し、口部を開閉させる蓋体において、
該蓋体の外周面に、該蓋体の高さ方向に沿った少なくとも一対の羽板を、該蓋体の中心を挟んで両側面に、該蓋体の外方に突出させて取り付け、かつ該羽板の外方端部に拡大部を設け、該拡大部の該蓋体を開閉させる際に手に当たる箇所を円弧状に形成したことを特徴とする羽付き蓋体。
【請求項２】
拡大部が円柱状である請求項１に記載の羽付き蓋体。
【請求項３】
拡大部が、羽板の外方端部に板状部材を取り付けたＴ字状であり、該板状部材の端部を円弧状に形成した請求項１に記載の羽付き蓋体。
【請求項４】
拡大部が、半円筒体状で、円弧の切り欠き部分を外方に向けてある請求項１に記載の羽付き蓋体。
【発明の詳細な説明】
【技術分野】
【０００１】
本発明は、螺合により容器本体の口部に取り付けられる蓋体であって、外周に羽を有し開栓や閉栓操作が容易に行なえる蓋体に関する。
【背景技術】
【０００２】
従来、螺合回転により開閉させる蓋体にあっては、蓋体胴部にローレットなどの凹凸を設け、開閉操作時の滑りを防止している。また、容器の開封作業を簡単にするため、栓本体の外周部分に合成樹脂製の摘み部材などを設けることも行なわれている。
【０００３】
【特許文献１】特開平８−９１３９８号公報
【発明の開示】
【発明が解決しようとする課題】
【０００４】
しかしながら、ローレットの山を高く形成すると滑りにくくなるが、握ったときにローレットの山が手に食い込み手が痛くなることがあった。また、ローレットの上面を広くすると握ったときに手に食い込むことはなく痛くなることがないが、開栓操作時に滑りやすくなるという問題があった。
【０００５】
また、合成樹脂製の摘み部材を栓体に設けた場合でも、開栓作業には栓の外周部分を握る必要があるため、握力が弱い人では開栓しにくいという問題を有していた。
【０００６】
本発明は、小さな力で容易に開閉でき、しかも開閉操作時に手が痛くならない蓋体を提供することを目的とする。
【課題を解決するための手段】
【０００７】
本発明は、上記課題を解決するため、蓋体を次のように構成した。
【０００８】
すなわち、容器本体の口部に螺合される蓋体の外周面に、蓋体の外方に延出された羽板を設けることとした。
【０００９】
羽板は蓋体の高さ方向に設け、蓋体の回転方向に指や手が十分にかかる幅とした。更に羽板の端部に、手に当たる箇所を円弧状に形成した拡大部を設けた。拡大部の形状は、例えば、円柱状、羽板の端部に板状部材を取り付けたＴ字状で、その板状部材の端部に丸みを形成した形状、あるいは半円筒状などである。
【発明の効果】
【００１０】
本発明にかかる羽付き蓋体は、蓋体を握ると羽板に指や手がかかり、羽板表面を押すようにして蓋体を回転できる。しかも拡大部が指や手にかかるため力が逃げず、小さな握力で容易に開栓、あるいは閉栓させることができる。蓋体表面には手が食い込むような凹凸が形成してないため、手が痛くなることはない。
【００１１】
また羽板の端部に設けられた拡大部の手が当たる部分の角を丸くしたり、手に当たる面積を大きくしたことにより、力を入れても手に痛みをほとんど生じさせることがない。
【発明を実施するための最良の形態】
【００１２】
本発明にかかる羽付き蓋体の一実施形態について説明する。
【００１３】
図１に、容器本体２に取り付けた状態の蓋体１を示す。容器本体２は、樹脂製、ガラス製など材質は問わず、上部に蓋体１を螺合させる口部４を有し、口部４に連なる胴部６内に化粧料などの内容物が収納してある。
【００１４】
蓋体１は、合成樹脂などからなる成形品で、円筒状の本体部３の内面に、口部４のねじ部に螺合する雌ねじ部を有し、雌ねじ部とねじ部を螺合させて口部４に組み付けられる。
【００１５】
本体部３の外周面には２枚の羽板５が、図２に示すように本体部３の中心を通る直線上に取り付けてある。また、それぞれの羽板５の外方端部には円柱状の拡大部７が形成されている。
【００１６】
羽板５は本体部３から適度な幅、すなわち蓋体１を回転させようと操作したとき指や手がちょうどかかる程度の幅で突出している。図７では、蓋体１を容器本体２の口部４に組み付けると、拡大部７間の間隔、つまり蓋体１の最大横幅と容器本体２の直径がほぼ等しくなっているが、蓋体１の最大横幅と容器本体２の直径を等しい値にする必要はない。
【００１７】
また拡大部７の断面を図２において真円に示したが、拡大部７の断面は楕円や長円でもよい。
【００１８】
容器本体２から蓋体１を取り外すときには、指、もしくは手の平を羽板５に当て、回転方向に力を入れる。すると蓋体１を回すときの回転半径が大きく、しかも羽板５にかけて回転させることから力が入り易く、容易に蓋体１を回転させて、容器本体２の口部４から蓋体１を螺脱させることができる。しかも羽板５の外方端部には拡大部７が設けてあることから、蓋体１を回転させるときに手が円柱状に形成された拡大部７に当たるので、滑らず小さな握力で回転でき、しかも手が痛くなることがない。
【００１９】
次に、蓋体１の他の例について説明する。
【００２０】
図３、図４に示す蓋体１は、羽板５の外方端部にＴ字状に形成した拡大部７を設けた。この拡大部７は、羽板５の端部に板状部材１１を取り付け、更に板状部材１１の両端の角に丸みＲを設けて形成した。
【００２１】
この蓋体１によれば、羽板５を押して蓋体１を回転させる際に、拡大部７の板状部材１１に指や手が掛かるので力が入れ易くなり、蓋体１を容易に回転させることができる。更に板状部材１１の端部に丸みＲが形成してあるので、手が痛くならない。
【００２２】
図５、図６に示す蓋体１は、拡大部７を半円筒状に形成した。この拡大部７は、円筒体の一部を切欠いた形状の半円筒体を、その切欠き箇所を外側に向けて羽板５に取り付けて形成した。このように拡大部７を半円筒体状に形成すると、蓋体１を回転させるに際して半円筒状に形成された拡大部７の外周面に手がかかるので、力が入れやすくなり容易に蓋体１を回転できる。しかも蓋体１を回転させる時には拡大部７の円弧状部分が手に当たるので、痛くなることがない。また拡大部７では、半円の内側に指を差し入れて蓋体１を回転させることもできる。
【００２３】
尚上記例では蓋体１に羽板５を一対設けた例について説明したが、羽板５は一対に限るものではない。
【図面の簡単な説明】
【００２４】
【図１】本発明にかかる羽付き蓋体の一実施形態を示した図である。（実施例１）
【図２】羽付き蓋体を示す平面図である。
【図３】羽付き蓋体の他の例を示す平面図である。（実施例２）
【図４】羽付き蓋体の他の例を示す正面図である。（実施例２）
【図５】羽付き蓋体の他の例を示す平面図である。（実施例３）
【図６】羽付き蓋体の他の例を示す正面図である。（実施例３）
【図７】羽付き蓋体を示す斜視図である。
【符号の説明】
【００２５】
１    蓋体
２    容器本体
３    本体部
４    口部
５    羽板
６    胴部
７    拡大部
１１  板状部材
Ｒ    丸み
【図１】
2006273409.tif 000003
【図２】
2006273409.tif 000004
【図３】
2006273409.tif 000005
【図４】
2006273409.tif 000006
【図５】
2006273409.tif 000007
【図６】
2006273409.tif 000008
【図７】
2006273409.tif 000009